(57)【要約】【課題】  従来の防虫用フィルター装置において、防虫網の場合には、室外側からしか清掃ができない場合が殆どであり、高所作業車等を用いるため清掃を行うのにコストがかかるという問題がある。またプレフィルターを防虫フィルターとして用いるものでは、清掃性は良いが、フィルタ濾材との気密性が十分でないことが多く、この場合には小型の昆虫等が入り込んでしまうことが多い。【解決手段】  そこで本発明では、フィルタ濾材６を挟持したフィルタ枠５をフィルタケーシング１の開口部２ａの周囲に圧接して支持するフィルター装置において、フィルタ枠は四辺形状の枠７を構成する夫々の辺に、トルクヒンジ８により棒体９を接続して隣接させ、上記枠と開口部の周囲の夫々に、対応するガスケット１０，１１を設けると共に、フィルタケーシングには上記棒体を枠方向に圧接するカム１２を設けた防虫用フィルター装置を提案する。【選択図】    図１１
2005273972.tif 000002
【特許請求の範囲】
【請求項１】
フィルタ濾材を挟持したフィルタ枠をフィルタケーシングの開口部の周囲に圧接して支持するフィルター装置において、フィルタ枠は四辺形状の枠を構成する夫々の辺に、トルクヒンジにより棒体を接続して隣接させ、上記枠と開口部の周囲の夫々に、対応するガスケットを設けると共に、フィルタケーシングには上記棒体を枠方向に圧接するカムを設けたことを特徴とする防虫用フィルター装置
【請求項２】
フィルタケーシングの側部に扉付き開口部を設けてフィルタ枠を出入自在に構成すると共に、下部には虫受け皿を設置して、この虫受け皿も出入自在に構成したことを特徴とする請求項１に記載の防虫用フィルター装置
【発明の詳細な説明】
【技術分野】
【０００１】
本発明は、清浄空間を必要とする施設における空調換気用外気取入れ部等に設置する防虫用フィルター装置に関するものである。
【背景技術】
【０００２】
例えば医薬品工場や食品工場、半導体工場等の、清浄空間を必要とする施設には、防虫対策として、空調換気用外気取入れ部にフィルター等を設け、これにより虫等を補集して清浄空間に侵入することを防止している。一般的に、防虫対策としては、給気口の外気側に設置する防虫網か、あるいは給気口に構成したフィルタケーシングにフィルタ濾材を支持した構成のプレフィルターを防虫フィルターとして使用している事例が多い。
【０００３】
尚、従来例として、特許文献１には、事務所ビル、集合住宅、戸建住宅、倉庫等の室内と室外との通気のために、これらの壁等に取り付けて通気の程度を制御する電動式給気ダンパにおいて、フレームにエアーフィルタ又は防虫若しくは防鳥ネットを配置して支持したものが記載されている。
【特許文献１】特開２０００−２６６３９６号公報
【発明の開示】
【発明が解決しようとする課題】
【０００４】
ここで、防虫網の場合には、室外側からしか清掃ができない場合が殆どであり、高所設置した防虫網では、清掃に際して、高所作業車や作業ステージを用意する必要があり、清掃を行うのにコストがかかるという問題があった。
【０００５】
また、一般的に、プレフィルターを防虫フィルターとして用いるものでは、清掃性は良いが、フィルタ濾材の交換に際して、それを引き出しやすくするために、フィルタ濾材と、それに当接する枠体との間の気密性が十分でないことが多く、この場合には小型の昆虫等が入り込んでしまうことが多い。
本発明はこのような課題を解決することを目的とするものである。
【課題を解決するための手段】
【０００６】
上述した課題を解決するために、本発明では、フィルタ濾材を挟持したフィルタ枠をフィルタケーシングの開口部の周囲に圧接して支持するフィルター装置において、フィルタ枠は四辺形状の枠を構成する夫々の辺に、トルクヒンジにより棒体を接続して隣接させ、上記枠と開口部の周囲の夫々に、対応するガスケットを設けると共に、フィルタケーシングには上記棒体を枠方向に圧接するカムを設けた防虫用フィルター装置を提案する。
【０００７】
また本発明では、上記の構成において、フィルタケーシングの側部に扉付き開口部を設けてフィルタ枠を出入自在に構成すると共に、下部には虫受け皿を設置して、この虫受け皿も出入自在に構成することを提案する。
【発明の効果】
【０００８】
本発明では、フィルタ濾材を挟持したフィルタ枠は、開口部との間にガスケットを介装すると共に、カムにより圧接する構成としているので、高い気密性を得ることができ、小型の昆虫等が入り込んでしまうことを防ぐことができる。
【０００９】
またフィルタ枠は四辺形状の枠を構成する夫々の辺に、トルクヒンジにより棒体を接続して隣接させた構成であるので、フィルタ濾材の交換が容易である。
【００１０】
フィルタケーシングの側部に扉付き開口部を設けてフィルタ枠を出入自在に構成しているので、フィルタケーシングの設置スペースを小さくすると共に、フィルタ濾材の交換が容易に行え、またこの扉付き開口部は、フィルタケーシングの下部に設置する虫受け皿の出入りに利用することができ、虫受け皿に落下した虫の死骸の清掃を簡便に行うことができる。
【実施例１】
【００１１】
次に本発明の防虫用フィルター装置の実施例を図１〜図１１を参照して説明する。
符号１はフィルタケーシングであり、このフィルタケーシング１は、内部清掃、ガラリへの取り付け等を考慮して外フランジ形状に構成されており、上流側と下流側には通気用の開口部２が形成されている。またフィルタケーシング１の側部には扉３付きの開口部４ａ，４ｂが設けられている。また符号５はフィルタ濾材６を挟持したフィルタ枠であり、このフィルタ枠５をフィルタケーシング１の開口部、この場合、上流側の開口部２ａの周囲に圧接して支持する。
【００１２】
フィルタ枠５は図４〜図１１に詳細に図示しているように、四辺形状の枠７を構成する夫々の辺に、トルクヒンジ８により棒体９を接続して隣接させた構成としている。即ち、トルクヒンジ８は、枠７と棒体９が図４〜図６のように隣接している状態となる方向にトルクを加えていて、図７の状態に移行するには、トルクに抗する力を必要とするものである。従って、フィルタ枠５は、トルクヒンジ８のトルクに抗して棒体９を開いてフィルタ濾材６を入れた後に、そのトルクにより自動的にフィルタ枠５と棒体９間にフィルタ濾材６を挟んで支持することができる。尚、図４〜図９においては、便宜上、フィルタ濾材６を省略して描いている。そしてこのフィルタ枠５には、枠７側にガスケット１０を設けている。
【００１３】
一方、フィルタケーシング１には、開口部２ａの周囲に、上記フィルタ枠５の枠７に設けたガスケット１０に対応してガスケット１１を設けており、更にフィルタケーシング１には、上記棒体９側に、上記棒体９を枠７方向に圧接するカム１２を設けている。このカム１２は駆動軸１３を偏心させた構成としている。
【００１４】
以上の構成において、本発明では、図１０に示すように、枠７と棒体９との間にフィルタ濾材６を挟持したフィルタ枠５を、フィルタケーシング１の開口部２ａとの所定位置にもたらし、この状態で適宜の操作機構により駆動軸１３でカム１２を動作させる。フィルタ枠５を、開口部４ａ又は４ｂを経て開口部２ａとの所定位置にもたらすために、フィルタケーシング１に横方向のレール（図示省略）を設けることができる。
【００１５】
以上の動作により、図１１に示すように、カム１２により棒体９が押されて、フィルタ枠５が図中右方向に移動し、フィルタ枠５のガスケット１０がフィルタケーシング１のガスケット１１に圧接して、高い気密性が得られ、この状態で固定状態とすることにより、フィルタ濾材６を挟持したフィルタ枠５の装着が完了する。このような状態において固定状態とし、振動等により緩みが生じないようにするために、カム１２の駆動軸１３には、回り止めストッパー１４を設けている。この回り止めストッパー１４はカム１２の駆動軸１３の操作機構を兼用するように構成することもできる。
【００１６】
以上説明したとおり、本発明では、フィルタ濾材６を挟持したフィルタ枠５は、開口部２ａとの間にガスケット１０，１１を介装すると共に、カム１２により圧接する構成としているので、高い気密性を得ることができ、小型の昆虫等が開口部２ａから、その下流側に入り込んでしまうことを防ぐことができる。
【００１７】
またフィルタ濾材６を支持するフィルタ枠５は四辺形状の枠７を構成する夫々の辺に、トルクヒンジ８により棒体９を接続して隣接させた構成であるので、フィルタ濾材６の交換が容易であり、更に、フィルタケーシング１の側部に扉付き開口部４ａ，４ｂを設けてフィルタ枠５を出入自在に構成しているので、フィルタケーシング１の設置スペースを小さくすることができると共に、フィルタ濾材６の交換が容易に行える。
【００１８】
またこの扉３付き開口部４ａ，４ｂは、フィルタケーシング１の下部に設置する虫受け皿１５の出入りに利用することができ、虫受け皿１５に落下した虫の死骸の清掃を簡便に行うことができる。
【００１９】
尚、図中符号１６は差圧計である。
【産業上の利用可能性】
【００２０】
本発明の防虫用フィルター装置は、以上のとおり、防虫網を用いないので、高所作業車や作業ステージを用意せずに容易に清掃を行うことができ、コストが高くならないという利点と共に、フィルタ濾材の装着において気密性を高くすることができるので、小型の昆虫等の侵入も防止できると共に、メンテナンスも容易である。
【図面の簡単な説明】
【００２１】
【図１】本発明の防虫用フィルター装置の実施例の一部を切り欠いた平面図である。
【図２】本発明の防虫用フィルター装置の実施例の平面図である。
【図３】本発明の防虫用フィルター装置の実施例の一部を切り欠いた側面図である。
【図４】本発明の防虫用フィルター装置の実施例の一部を切り欠いた斜視図である。
【図５】本発明の防虫用フィルター装置に用いるフィルタ枠の斜視図である。
【図６】本発明の防虫用フィルター装置に用いるフィルタ枠の他方向から見た斜視図である。
【図７】本発明の防虫用フィルター装置に用いるフィルタ枠のある局面の斜視図である。
【図８】本発明の防虫用フィルター装置に用いるフィルタ枠の動作を示す要部断面図である。
【図９】本発明の防虫用フィルター装置に用いるフィルタ枠の動作の他の局面を示す要部断面図である。
【図１０】本発明の防虫用フィルター装置の装着前の動作を示す要部断面図である。
【図１１】本発明の防虫用フィルター装置の装着した状態を示す要部断面図である。
【符号の説明】
【００２２】
１              フィルタ装着基体
２ａ，２ｂ      開口部
３              扉
４ａ，４ｂ      開口部
５              フィルタ枠
６              フィルタ濾材
７              枠
８              トルクヒンジ
９              棒体
１０，１１      ガスケット
１２            カム
１３            駆動軸
１４            回り止め
１５            虫受け皿
１６            差圧計
【図１】
2005273972.tif 000003
【図２】
2005273972.tif 000004
【図３】
2005273972.tif 000005
【図４】
2005273972.tif 000006
【図５】
2005273972.tif 000007
【図６】
2005273972.tif 000008
【図７】
2005273972.tif 000009
【図８】
2005273972.tif 000010
【図９】
2005273972.tif 000011
【図１０】
2005273972.tif 000012
【図１１】
2005273972.tif 000013